(57)【要約】【課題】モジュール、ユーザ装置、システム、及び通信システム内でユーザ装置の位置を特定する方法を提供する。【解決手段】本発明は、加入者識別モジュール（１−４、２−２）、加入者識別モジュール（１−４、２−２）を含むユーザ装置（１−２）、及びこのユーザ装置（１−２）からロケーション情報を受信するようになった通信システムに関する。加入者識別モジュール（１−４、２−２）は、ユーザ装置（１−２）の電源からモジュール（１−４、２−２）に電力を供給するための接点（２−１０）を含む。本発明は、加入者識別モジュール（１−４、２−２）がＧＰＳ受信機（１−６、２−４）及びアンテナ（１−８、２−６）を含むという事実に対して公知である。【選択図】図１
2008535426.tif 000002
【特許請求の範囲】
【請求項１】
移動局に接続するための接点（２−１０）を含む加入者識別モジュール（１−４、２−２）であって、
測位データを判断するための衛星測位システム受信機（１−６、２−４）と、
アンテナ（１−８、２−６）と、
接点を通じて前記測位データを伝送するための手段と、
を含むことを特徴とするモジュール（１−４、２−２）。
【請求項２】
前記測位データは、時間的データであり、
前記時間的データに少なくとも部分的に基づいて前記移動局（１−２）の現在のロケーションを計算するために、該移動局（１−２）に通信ネットワーク内のロケーションサーバに対して該時間的データを送信させる、
ことを特徴とする請求項１に記載の加入者識別モジュール（１−４、２−２）。
【請求項３】
前記測位データは、前記移動局（１−２）の地理的座標を含むことを特徴とする請求項１又は請求項２に記載の加入者識別モジュール（１−４、２−２）。
【請求項４】
前記移動局及び／又は前記ロケーションサーバからの照会に応答して前記測位データを送信するようになっていることを特徴とする請求項１から請求項３のいずれか１項に記載の加入者識別モジュール（１−４、２−２）。
【請求項５】
前記測位データを自発的に送信するようになっていることを特徴とする請求項１から請求項３のいずれか１項に記載の加入者識別モジュール（１−４、２−２）。
【請求項６】
前記移動局（１−２）に前記ネットワーク内の前記ロケーションサーバに対して前記測位データを送信させることを特徴とする請求項１から請求項５のいずれか１項に記載の加入者識別モジュール（１−４、２−２）。
【請求項７】
前記移動局（１−２）を通じて支援測位データを受信し、かつ該支援測位データに少なくとも部分的に基づいて該移動局（１−２）の前記地理的座標を計算するようになっていることを特徴とする請求項１から請求項６のいずれか１項に記載の加入者識別モジュール（１−４、２−２）。
【請求項８】
前記測位データに対するアクセスを制御するための手段を含むことを特徴とする請求項１から請求項７のいずれか１項に記載の加入者識別モジュール（１−４、２−２）。
【請求項９】
前記衛星測位システム受信機（１−６、２−４）及び前記アンテナ（１−８、２−６）は、集積回路の同じ基板上に統合されることを特徴とする請求項１から請求項８のいずれか１項に記載の加入者識別モジュール（１−４、２−２）。
【請求項１０】
前記衛星測位システム受信機（１−６、２−４）及び前記アンテナ（１−８、２−６）は、別々の集積回路であることを特徴とする請求項１から請求項８のいずれか１項に記載の加入者識別モジュール。
【請求項１１】
ＧＰＳ、ＧＡＬＩＬＥＯ、ＮＡＶＳＴＡＲ、及び／又はＧＬＯＮＡＳＳシステムのうちの１つ又はそれよりも多くの衛星測位システム受信機（１−６、２−４）を含むことを特徴とする請求項１から請求項１０のいずれか１項に記載の加入者識別モジュール。
【請求項１２】
請求項１から請求項１１のいずれか１項に記載の加入者識別モジュール（１−４、２−２）を含むことを特徴とする移動局（１−２）。
【請求項１３】
移動局に接続するための接点（２−１０）を含む加入者識別モジュール（１−４、２−２）を含む移動局（１−２）の位置を通信ネットワーク（１−３０）内で特定する方法であって、
加入者識別モジュール（１−４、２−２）が、測位データを判断するための衛星測位システム受信機（２−４）と、アンテナ（２−６）と、接点を通じて該測位データを伝送するための手段とを含み、
移動局（１−２）の位置を特定するためのロケーション要求を受信する段階（３−２、４−２、５−２、６−２）と、
少なくとも２つの衛星（１−１６）から測位データを受信する段階（３−５、４−５、５−３、６−３）と、
前記測位データに少なくとも部分的に基づいて前記移動局（１−２）の現在のロケーションを計算する段階（３−５、３−７、４−５、４−７、５−３、５−５、６−３、６−５）と、
を含むことを特徴とする方法。
【請求項１４】
通信ネットワークサーバ（１−１４）から支援測位データを更に受信する段階（１−１０、１−１２）と、前記測位データ及び該支援測位データに少なくとも部分的に基づいて前記移動局（１−２）の前記現在のロケーションを計算する段階（３−５、３−７、４−５、４−７、５−３、５−５、６−３、６−５）とを特徴とする請求項１３に記載の方法。
【請求項１５】
前記移動局（１−２）の前記現在のロケーションを計算する段階（３−５、３−７、４−５、４−７、５−３、５−５、６−３、６−５）の前に該移動局（１−２）の位置特定の許諾をユーザに求める段階を特徴とする請求項１３から請求項１４のいずれか１項に記載の方法。
【請求項１６】
前記衛星測位システム受信機（１−６、２−４）は、ＧＰＳシステムの受信機であり、前記支援測位データをＳｕｂｓｃｒｉｂｅｒ  Ｔｏｏｌｋｉｔ  ＡＰＩインタフェースを通じて受信することによるものであることを特徴とする請求項１３から請求項１５のいずれか１項に記載の方法。
【発明の詳細な説明】
【技術分野】
【０００１】
本発明は、通信システムに関し、より詳細には、モジュール、ユーザ装置、システム、及び通信システム内でユーザ装置の位置を特定する方法に関する。
【背景技術】
【０００２】
ＧＳＭ（移動通信用グローバルシステム）モバイルデバイスのようなユーザ装置の正確なロケーションは、セルラーネットワークからの情報を用いて判断することはできない。この情報は、農村部では約１００から３００メートル、都市部では５０から１００メートルの精度に過ぎないロケーションを可能にする。例えば、緊急通話の場合、通話の送信元の正確なロケーションを特定することが、できるだけ迅速にその場所に救助を呼ぶことができるために必須である。正確に位置を特定することのできないモバイルデバイスから通話が行われた場合には、救助サービスは致命的な数十分を失う可能性がある。
【０００３】
ＧＰＳ（全地球測位システム）受信機は、より高い精度を提供することができるが、これらは高価であり、一般の人々によって広く携行され使用されてはいない。ＧＰＳ受信機は、室内、及び高層ビル間のようなビルの谷間では正確には機能しないか又は全く機能しない。
陸上セルラーネットワークと共に機能するアシストＧＰＳ（ＡＧＰＳ）もある。ＡＧＰＳシステムは、測距及び位置解決を行うために必要なタスクをＧＰＳ受信機が実行するのを助ける。外部ソースから、ネットワークからの支援により、ＧＰＳ受信機は、支援されない場合よりも迅速かつ効率的に作動することができ、これは、一般的に処理することになる一連のタスクをアシスタンスサーバと共有するからである。更に、セルラーネットワーク上で配信されるアシスタンス情報により、ＡＧＰＳ受信機は、標準ＧＰＳ受信機よりも約１０００倍も高感度であり、従って、室内及びビルの谷間で使用することもできる。
しかし、上述の構成に関連付けられる欠点の１つは、これらのデバイスもまた高価であり、消費者に広く利用可能ではなく、かつ利用されていない点である。
【発明の開示】
【０００４】
従って、本発明の目的は、上述の問題を解決するために方法と方法を実施するための装置とを提供することである。本発明の目的は、独立クレームに説明される内容によって特徴付けられる方法及び構成により達成される。本発明の好ましい実施形態は、従属クレームに開示されている。
本発明は、既存の非衛星測位システムユーザ装置自体に少しも修正を加えることなく、衛星測位システム受信機（１−６、２−４）及びアンテナ（１−８、２−６）を備えた新しい加入者識別モジュールを挿入するだけで、既存の装置に高精度の衛星測位システムの機能性を付加するという発想に基づいている。
本発明の方法及び構成の利点は、ユーザ装置の位置をより正確に特定することができる点である。このロケーション方法はまた、広く使用されている既存のユーザ装置に導入するのも容易である。本発明の方法及び構成はまた、低価格でもある。
以下では、添付の図面を参照して好ましい実施形態を用いて本発明をより詳細に説明する。
【発明を実施するための最良の形態】
【０００５】
本発明及びその実施形態のユーザ装置は、２Ｇ（世代）、２．５Ｇ、３Ｇ、又は４Ｇユーザ装置のようなあらゆるモバイル装置とすることができる。装置は、例えば、移動局、セルラー移動局、コミュニケータ、又はコンピュータとすることができる。ユーザ装置及び通信システムの詳細な構造及び作動は、本発明には関連しておらず、従って、本発明の理解を助ける限りにおいてだけ説明する。更に、本発明は、様々な種類の測位システム及び衛星システムに、並びに固定ネットワーク及びパケット交換ネットワーク、又はこれらの組合せのような様々な種類の通信システム及びネットワークに、及び／又はモバイルＩＰ（インターネットプロトコル）ネットワーク及びそのユーザ装置のような無線データ送信ネットワークに適用することができることに注意すべきである。
【０００６】
本発明及びその実施形態に関して、ＳＩＭ（加入者識別モジュール）カードは、加入者識別のためのデータ、及び／又は無線通信の暗号化、及び／又は他のセキュリティ関連情報を含む、ユーザ装置への取り外しができる挿入可能なカードとして定義することができる。しかし、本発明及びその実施形態によるＳＩＭカードは、加入者を識別することはできるが、必ずしも識別可能にする必要はないことに注意すべきである。
【０００７】
ＳＩＭカード内の又はＳＩＭカードと共に機能するプロセッサは、例えば、ロケーション要求のイニシエータの識別子に応じて、ユーザ装置のロケーションに使用されるＳＩＭカードのメモリに対する又はＳＩＭカードと共に機能するメモリに対するアクセスを制御することができる。制御は、例えば、ロケーションイニシエータがメモリの情報に達するのを防ぐことを意味することができる。これは、すなわち、ＳＩＭカードの一使用方法において、ＳＩＭカードのメモリへの直接アクセスが可能ではあるが、これがないことを意味する。本発明の一実施形態では、ＳＩＭカードは、ユーザ装置の位置を特定するための承認要求を行わずにＳＩＭカードのメモリから直接的に情報を取得することを許可されているロケーションイニシエータを認識することができる。ユーザが、一部又は全ての個人及び／又は当局に、メモリへの直接アクセスの事前承認を与えておくこともまた可能である。
【０００８】
ＳＩＭカードはまた、単一人物のロケーションに関して十分な保護を提供する、いわゆる不正改ざん防止デバイスとすることができる。
ＳＩＭカードはまた、例えば、従来型のセルラー移動局に挿入された場合に、従来型の移動局のシステムに適応して、移動局の位置を特定するためにシステムを作動させるように、様々な種類のユーザ装置、様々な種類の移動局に合うように適応させることができる。
【０００９】
ＳＩＭカードはまた、本発明及びその実施形態の作動を制御することができる論理、及び／又はソフトウエアプログラム、又はアプリケーションを含むことができ、及び／又はこれらと協調することができる。論理、プログラム、及び／又はアプリケーションは、ＳＩＭカード内とすることができ、ＳＩＭカードと通信状態で、及び／又は本発明及びその実施形態を実行するために、それ／それらをＳＩＭカード及び／又はユーザ装置にロードすることができる。アプリケーションは、例えば、Ｊａｖａ及びＳｙｍｂｉａｎアプリケーションを含む。
【００１０】
すなわち、ＳＩＭカードは、ユーザ装置の座標のような現在のロケーションを計算するための手段、例えば、プログラムを含むことができる。従って、測位データ及び／又は現在のロケーションの処理全体は、ＧＰＳチップ及びＳＩＭプロセッサで行うことができる。ユーザ装置のプロセッサは、計算には必要ないが、それ／それらを使用することができる。
ＳＩＭカードはまた、ユーザ装置の現在のロケーションの計算のために時間的データ、擬似データをサーバに送信するための手段、例えば、プログラムを含むことができる。
【００１１】
Ｊａｖａ及びＳｙｍｂｉａｎアプリケーションは、ＳＩＭカード及び／又はサーバから受信するロケーション情報を多くの方法で処理することができる。Ｊａｖａアプリケーションは、ＭＳＬＣ（モバイル・サービング・ロケーション・センター）サーバを通じてＧＰＲＳ（汎用パケット無線サービス）ネットワーク上でロケーション情報を取得することができる。
ＳＩＭカードは、仮想又は個別の独立型カードとすることができる。本発明及びその実施形態に関して、ＳＩＭカードは、部分的に又は全体をユーザ装置に固定することも、又は部分的に又は全体をユーザ装置に取り外し可能で挿入可能にすることができる。従って、ＳＩＭカードは１つ又はそれよりも多くの部品を含むことができる。ＳＩＭカードはまた、異なるサイズ、厚み、体積を有することができる。以下では、ＳＩＭカードという名称を用いるが、これはＩＣＣカード（集積回路カード）、又はチップカードのような異なる種類のスマートカードも指すことを理解すべきである。本発明及びその実施形態に対して重要なことは、それが埋め込みの情報受信機及び／又はアンテナを有するモジュールである点である。
【００１２】
受信機は、装置の位置を特定するため又は位置特定を助けるための情報を受信することができる。従って、例えば、ＧＰＳ（全地球測位システム）受信機、又はＡＧＰＳ（アシストＧＰＳ）受信機、又はＮＡＶＳＴＡＲ（時間と距離による航行システム）、ＧＬＯＮＡＳＳ（全地球的航法衛星サービス）、又はＧＡＬＩＬＥＯのような他の衛星測位システムの受信機とすることができる。モジュールは、１つ又はそれよりも多くの受信機及び／又はアンテナを含むことができ、その各々は、例えば、様々な測位システムに対して適応されることに注意すべきである。
【００１３】
アンテナは、モジュール内部とすることも、別々の構成要素として備えることもできる。ユーザ装置のアンテナもまた、使用することができる。受信機ユニットがモジュール内にある場合には、受信機及びアンテナの両方がモジュール内にある場合と比較すると、システムの感度を高めることができる。しかし、これは、新しいユーザ装置の利用を必要とする可能性がある。
本発明及びその実施形態は、非ＧＰＳのような既存の非衛星測位システムユーザ装置自体に少しも修正を加えることなく、ＡＧＰＳのような測位システム対応の新しいＳＩＭ（加入者識別モジュール）カードを挿入するだけで、既存の装置にＧＰＳのような高精度の衛星測位システムの機能性を付加するという発想に基づいている。既存の衛星測位システムユーザ装置に高精度の衛星測位システムの機能性を挿入することも可能である。
【００１４】
ユーザは、自身のイニシアチブによって自身の位置を特定することができ、又はユーザの位置は、第三者又はサービスのイニシアチブによって特定することができる。しかし、第三者又は外部サービスがユーザ装置の位置を特定することができる以前に、これが、法律により実行の権限を有する緊急サービスによって、又はユーザにより許可されたアプリケーション又はサービスによって生成された場合を除いて、ユーザは、外部の測位イニシアチブを受諾又は拒否することができる。これらの場合、遠隔のロケーション要求の送信者は、ＡＧＰＳサブシステムのような測位サブシステムに対してロケーションデータの生成を要求する前に、ＳＩＭカード上のＡＧＰＳアプリケーションのような測位アプリケーションによって認証することができる。認証は、デジタル署名（ＰＫＩ）又は他の利用可能で安全な認証方法を用いて、ＡＧＰＳサブシステムの機能性に対するアクセスを制御することができる。認証はまた、ＳＩＭ又はモバイルデバイス上で実行中のアプリケーションに関してロケーション情報に対するアクセスを制御するために使用することができる。
【００１５】
ＳＩＭモジュールはまた、測位データに対するアクセスを制御するための手段を含むことができる。測位データに関する照会を受信すると、この手段は、例えば、照会の送信者の識別子に基づいてこの測位データを利用する権利及び／又は取得する権利を検査することができる。ＳＩＭモジュールは、測位データを送信するか又はその送信を拒否することができる。ＳＩＭモジュールはまた、ロケーションを計算して、照会のイニシエータに例えば、座標を送信することができる。ＳＩＭカードはまた、このデータの送信の許諾をユーザ装置のユーザに求めることができる。
【００１６】
図１は、ＳＩＭカードのようなスマートカード１−４、又はＵＳＩＭ（ＵＭＴＳ（ユニバーサルモバイルテレコミュニケーションシステム）加入者識別モジュール）カード１−４を有するユーザ装置１−２を示している。スマートカードは、アシストＧＰＳ（ＡＧＰＳ）受信機１−６のような埋め込みの全地球衛星測位受信機及びＧＰＳアンテナ１−８を有することができ、これらは共に、ＡＧＰＳサブシステムを形成する。ＡＧＰＳサブシステムは、ユーザ装置の正確な測位情報を提供するように設計されている。埋め込みのＡＧＰＳ受信機は、セルラーネットワーク１−３０、モバイルデバイス１−２、及び、例えば、「ＳＩＭ  Ｔｏｏｌｋｉｔ  ＡＰＩ」プロトコル又はＳＩＭカードとユーザ装置の間の通信に利用可能な他のプロトコルを用いるＳＩＭカード接点を通じて、ネットワークベースのロケーションサーバ１−１４からＡＧＰＳアシスタンスデータ１−１０、１−１２を受信するようになっている。
【００１７】
スマートカードの１つ又はそれよりも多くのアンテナは、スマートカード上に取り付けるようになったチップアンテナとすることができる。アンテナの原料はセラミックとすることができる。アンテナのサイズは、例えば、３×１０×０．７ｍｍのような超小型にすることができる。
受信機及びアンテナの両方を１つ又はそれよりも多くの部品に構築することができ、受信機及びアンテナを１つ又はそれよりも多くの集積回路に部分的に又は全体を統合することもできる。従って、受信機及びアンテナは、同じ回路基板に又は少なくとも２つの異なる回路基板に統合することができる。
従って、受信機及びアンテナは、別々の構成要素とすることも、モジュール又はチップの一部とすることも、又はこれら全てを単一のチップ構成要素として構築することができる。
【００１８】
アシスタンスデータは、その信号をＡＧＰＳ受信機がリスンすべきＧＰＳ衛星１−１６に関する情報を含むことができる。従って、ＡＧＰＳデバイスは、無線モデム又は全機能搭載の携帯電話に結合したＡＧＰＳ受信機上に構成することができる。
「ＳＩＭ  Ｔｏｏｌｋｉｔ  ＡＰＩ」プロトコルは、ＳＩＭカードとユーザ装置との間で定義することができ、例えば、「ＳＩＭ  Ｔｏｏｌｋｉｔ」のアプリケーションとの通信、並びにディスプレイ、キーボード、及びメニューの使用法を定義する。ツールキットは、ＳＩＭ上で実行中のアプリケーション、ＳＩＭの処理、ユーザ装置、通信ネットワーク、ユーザ装置に付加機能を追加することができる手段である外部装置インタフェースのための指令セットになるように定義することができる。指令は、例えば、プロフィールダウンロード、ＳＩＭへのデータダウンロード、ＳＩＭ上のプロアクティブ・アプリケーション、メニュー選択、ＳＩＭによる呼制御を含むことができる。代替的に、「ＳＩＭ  Ｔｏｏｌｋｉｔ  ＡＰＩ」プロトコルの代わりに又は追加的に、他のプロトコルを使用することができる。これらのプロトコルは、例えば、高速通信プロトコルを含むことができる。
【００１９】
ＡＧＰＳ受信機及びＡＧＰＳアプリケーション１−６は、「ＳＩＭ  Ｔｏｏｌｋｉｔ」インタフェースを用いてモバイルデバイスと通信することができる。「ＳＩＭ  Ｔｏｏｌｋｉｔ」インタフェースは、例えば、ＡＧＰＳアシスタンスデータ１−１０、１−１２を受信するために、及びサーバにロケーション情報を送信するために、並びにモバイルデバイスのディスプレイ１−２及びキーパッドからの入力を使用するために用いられる。ロケーション情報は、モバイルデバイスと１つ又はそれよりも多くのネットワークベースサーバ１−１４、１−１６との間で、例えば、ＳＭＳ（ショートメッセージサービス）、ＵＳＳＤ（非構造化付加サービスデータ）、ＭＭＳ（マルチメディア・メッセージング・サービス）、ＩＰ（インターネットプロトコル）、又は他の通信プロトコルを通じて通信することができる。
【００２０】
一方のポートは、ＳＩＭ接点１−２４専用で、他方のポートは、ＡＧＰＳサブシステム専のための２つの入力／出力ポートを有するＳＩＭプロセッサを用いることにより、モバイルユーザ装置の観点からは、ＡＧＰＳサブシステム及び機能性を「ＡＧＰＳ  ＳＩＭ  Ｔｏｏｌｋｉｔ」アプリケーションの背後に隠蔽することができる。
ＡＧＰＳ受信機１−６は、衛星信号１−２８を検出して、擬似位置データ、第１推定ロケーションを計算することができる。この擬似位置データは、更に処理されて、ＳＩＭカードの処理機能及びカードのメモリ内に常駐するプログラムを用いて実際の地理的ロケーションを取得することができる。代替的に、擬似位置データは、実際の地理的ロケーションを処理するためにネットワークベースサーバに送信することができる。
【００２１】
本発明は、テキスト又はマルチメディアメッセージ、又はモバイルデバイスに常駐するソフトウエアプログラム１−２６上か又はＳＩＭカード１−４上に常駐するソフトウエアアプリケーション１−６を用いて、ユーザにロケーション情報を表示し、改善されたユーザインタフェース１−２２を提供することができる。
図２は、本発明及びその実施形態によるＳＩＭモジュール２−２を示している。全ての一般的要素及び特性に加え、ＳＩＭモジュールは、埋め込みの（Ａ）ＧＰＳ受信機２−４及びアンテナ２−６を含むことができる。接点２−１０は、ＳＩＭの環境、例えば、移動局とのＳＩＭカードのインタフェースを示している。接点はまた、測位データ、及び／又はロケーションの計算又は計算の支援に必要な他のデータ、又はユーザ装置のロケーションの推定をＳＩＭカード及び／又はユーザ装置に対して及び／又はそこから伝送するように適応させることができる。ＳＩＭカード及び／又はユーザ装置に対する及びそこからの論理、プログラム、及び／又は様々なアプリケーションのロード、及び論理、プログラム、及び／又は様々なアプリケーションとの通信が、接点を通じて可能である。従って、ＳＩＭカード及び／又はユーザ装置はまた、ロケーション目的のためのデバイスを適用するため及び／又はロケーション目的のためのルーチンを実行するための論理、プログラム、及び／又はアプリケーション手段を含むことができる。ＡＧＰＳ受信機はまた、ＳＩＭカード接点を通じてユーザ装置の電源から電力を供給することができる。
【００２２】
ＡＧＰＳ受信機チップ及びＳＩＭチップは、別々のチップとするか、又はそれらを同じ回路基板上に統合することができる。以下では、本発明及びその実施形態の異なる使用方法について説明する。ユーザは、サーバと通信していない、すなわち、アシスタンスデータのない状態になるように、自律的に自身の位置を特定することができる。しかし、これは、アシスタンスデータの支援がある場合よりも速度が遅くなることがある。ユーザはまた、当局にロケーション情報を与えることをネットワークオペレータに対して許可することができるＥ１１２及びＥ９１１のような特定の法律に基づく容認がなくても位置を特定することができる。緊急通話の位置を特定するには許可は必要ないが、他の全ての通話は位置を特定するのに許可が必要である。ユーザは、１つのケースに対してだけか又は永久に許可を与えることができる。
ユーザ装置が位置を特定されるには電源がオンでなければならない。また、遠隔のロケーション要求を送信することができるように、ネットワーク接続も必要になる場合がある。ネットワーク接続がなく、アシスタンスデータが古すぎる場合、ユーザはＳＩＭカードのみで標準的なＧＰＳロケーションを行い、ユーザ装置のスクリーン上に座標Ｘ、Ｙ、及び／又はＺを表示することができる。
【００２３】
図３は、本発明及びその実施形態によるユーザ開始のロケーション要求の信号伝達図表を示している。ここでは、多大な計算機能を要する特定のロケーションベースのナビゲーション又はＭＡＰ（モバイルアプリケーション部）アプリケーションがなくともユーザ装置を使用することができる。
図３によれば、ユーザ装置ＵＥのユーザは、自身の正確なロケーションを知りたい。従って、ステップ３−２で、ユーザは、ユーザインタフェースの助けを借りて例えば「ロケーションの表示」を選択することにより、位置要求をＳＩＭカードに送信することができる。ステップ３−４で、要求は、ユーザ装置の現在位置の計算のためにＡＧＰＳサブシステムに転送され、ステップ３−５で、現在位置を処理することができる。ステップ３−６では、ＧＰＳ受信機によって生成された位置データが、サーバ、例えば、ロケーションサーバ又はＳＭＬＣ（サービング・モバイル・ロケーション・センター）サーバに送信されて、次に、ステップ３−７で、これらのサーバが位置データを計算して、地図、ロケーションの地理的座標を生成することができる。ロケーション情報は、次に、ステップ３−８でユーザ装置に戻され、本発明の他の全ての実施形態のように、視覚的、視覚触覚的、又はオーディオデータとして表示することができる。情報の表示は、特定の方法又は様式に限定されないが、できるだけ単純に及び／又は各ケースにできるだけ適するものにすることができる。従って、テキスト、地図、又は音声、又はこれらの組合せのような様々な種類の情報表示が可能である。
【００２４】
図３は、ある人物がホテル、レストラン、又はいずれかの所在地住所のような場所を見つけたい状況とすることができる。ユーザは、ＡＧＰＳサブシステムに位置データの生成を求める要求を無線デバイスを用いて入力することができ、この位置データは、目的地情報と共にロケーションサーバに送信される。次に、ロケーションサーバは、目的地への最良のルートを発見して、テキスト及び／又は画像及び／又は音声形式として無線デバイスに指示を戻すことができる。
【００２５】
図４は、本発明及びその実施形態による遠隔デバイス開始のロケーション要求の信号伝達図表を示している。この図表は、例えば、モバイルデバイスを保有する人物が行方不明の状況を示すことができる。オペレータは、ネットワーク上のロケーションサーバからロケーション要求を開始する。ロケーション要求は、ネットワークを通じて携帯電話に送信され、携帯電話がこれをＳＩＭカード及びＡＧＰＳサブシステムに転送する。ロケーションクライアントアプリケーションは、ＡＧＰＳサブシステムに対してロケーションデータを要求して、これをロケーションサーバに戻す。
【００２６】
図４では、ユーザ対話を少しも必要としない遠隔装置のロケーション要求を例えば緊急サービスによってユーザ装置の位置を特定するために使用することができる。すなわち、測位データを自発的に送信するように加入者識別モジュールを適応させることができる。位置の特定は、ステップ４−２で開始することができ、測位要求をロケーションサーバからユーザ装置及びそのＳＩＭカードに送信することができる。ＳＩＭカードは要求を受信して、ステップ４−４でこれを自己のＡＧＰＳサブシステムに転送する。その後、ステップ４−５で、ＡＧＰＳサブシステムにおいてユーザ装置の現在位置を計算することができる。ステップ４−６では、位置データをロケーションサーバに送信することができる。ロケーションデータはまた、必要に応じて及び／又は許可されている場合には、他のサーバ及び／又は他のユーザ装置に送信することができる。ステップ４−５でＡＧＰＳサブシステムが擬似位置データを計算する場合には、ステップ４−６でデータをロケーションサーバに送信することができ、次に、ステップ４−７で、ロケーションサーバがユーザ装置の最終ロケーションを計算することができる。
【００２７】
ユーザ装置の現在のロケーションは、ユーザ装置によって計算することができ、及び／又はサーバによって計算され、次に、ユーザ装置にロケーションを戻すことができることに注意すべきである。ロケーションは、例えば、少なくとも２つのロケーション衛星から受信する情報だけに基づいて、又はそれに加えて支援ロケーション情報にも基づいて計算することができる。従って、本発明及びその実施形態のユーザ装置は、ロケーション要求を受信し、少なくとも２つの衛星から測位データを受信し、かつこの測位データに少なくとも部分的に基づいてユーザ装置の現在のロケーションを計算するようになったユーザ装置とすることができる。ユーザ装置は、更に、例えば、１つ又はそれよりも多くの通信ネットワークサーバから支援測位データを受信し、並びにこの測位データ及びこの支援測位データに少なくとも部分的に基づいてユーザ装置の現在のロケーションを計算するように適応させることができる。
【００２８】
測位データは、経度及び緯度の座標のようなユーザ装置の地理的座標、及び／又はユーザ装置の現在のロケーションの計算で使用することができる時間的データを含むことができる。
図５は、本発明及びその実施形態による遠隔デバイス開始のロケーション要求の信号伝達図表を示している。ユーザ対話を少しも必要としない遠隔装置のロケーション要求を例えば緊急サービスによってＧＳＭ携帯電話のようなユーザ装置の位置を特定するために使用することができ、この場合は、ロケーションデータが、モバイル緊急サービスユニットのＧＰＳデバイスに直接転送される。ステップ５−２では、位置要求がサーバからＡＧＰＳサブシステムに直接送信される。ステップ５−３では、位置データを生成することができ、ステップ５−４では、位置データをサーバに送信することができる。ステップ５−５で、サーバにおいてロケーションを計算することができ、ステップ５−６で、ロケーションデータを緊急サービス測位デバイスＥＳＰＤに送信することができる。
【００２９】
図６は、本発明及びその実施形態に従い、ＡＧＰＳサブシステムを用いてＡＧＰＳ−ＳＩＭカード内で全体が処理される測位処理を示している。ある人物が道に迷い、自身がどこにいるかを知りたいとする。従って、ステップ６−２で、測位要求をユーザ装置からＡＧＰＳサブシステムに送信することができる。ステップ６−３では、ＡＧＰＳサブシステムにおいて擬似位置データを生成することができ、ステップ６−４で、擬似位置データをＡＧＰＳサブシステムからＳＩＭカードに送信することができる。ステップ６−５では、ユーザ装置の実際の地理的位置をＳＩＭカードの処理ユニットにおいて計算することができ、ステップ６−６では、計算された位置データをユーザ装置に転送することができ、次に、ユーザ装置がこれをいずれかの適切な手段で表示することができる。ステップ６−６では、ロケーションデータをロケーションサーバに送信することも可能である。
ロケーションデータは、多くの方法で利用することができる。一実施形態では、ロケーションデータは、ユーザに表示されない。これは、Ｅ１１２のような緊急サービスのケースであり得る。別の実施形態では、ここでもまた、ユーザに対して座標を表示することができる。
【００３０】
別の実施形態では、ユーザは、ユーザ装置のメニューから「サービス−ロケーションの取得」を選択することができ、及び／又はＳＩＭカードが座標又は「自宅」のような別の表示をユーザインタフェースに与えることができる。更に別の実施形態では、ＳＩＭは、測位データをネットワークのサーバに送信することができ、次に、このサーバは、ユーザ装置の現在のロケーション情報をＳＭＳメッセージ、ＭＭＳメッセージ、又は他のメッセージングのメッセージとして戻すことができる。すなわち、モジュール１−４、２−２は、移動局及び／又はロケーションサーバからの照会に応答して測位データを送信するように適応させることができる。
更に別の実施形態では、現在のロケーションは、ＭＭＳ地図のようなグラフィック情報として返送及び／又は表示することができる。
【００３１】
本発明及びその実施形態は、様々な方法及び様々な状況で使用することができる。上述の内容に加えて、本発明及びその実施形態を利用するための可能性は他に数多く存在する。一例では、２人の人物が互いを見つけたい。人物Ａは、自身の位置データを含むロケーション要求をＡＧＰＳサブシステムからロケーションサーバに送信し、ロケーションサーバがこの要求を人物Ｂのモバイルデバイスに転送する。Ｂがこの要求を受け入れると、モバイルデバイスＢは、ＡＧＰＳサブシステムに対して位置データを要求して、これをロケーションサーバに送信することができる。ロケーションサーバは、ロケーション、両者間のルート、及び地図を計算して、その結果を両者の無線デバイスに送信する。
別の例では、２人よりも多くの人から成る群の位置を特定することができる。更に別の例では、システムが受信機の高さに関する情報も提供し、従って、場合によっては行方不明の１人又はそれよりも多くの人の位置の特定をより容易にする。
【００３２】
本発明及びその実施形態は、車の追跡、より低価格の通話の提供、物品及び車両の又はナビゲーションにおける移動、行程及び／又は循環のモニタ、ゲーム再生のような多くの応用分野を提供する。例えば、携帯電話のメモリ内、又はＧＳＭモデム内、及び／又はＳＩＭカード及び／又は移動局のプロセッサ内にあるＳｙｍｂｉａｎ及び／又はＪａｖａアプリケーションは、そこに含まれるＳＩＭカードアプリケーションと通信状態にすることができる。これは、すなわち、例えば、ナビゲーション又は再生アプリケーションが、ローカルにＳＩＭカードに対してＧＰＳロケーション情報を直接求めることができることを意味する。この目的のためには、ライセンス（証明書／鍵）が必要な場合があり、これを用いてアプリケーションは、ロケーション情報へのアクセスを取得する。
【００３３】
本発明は、モバイルデバイスの位置を高精度で特定できないという問題を解決する。本発明は、既存の非ＧＰＳモバイルデバイス自体に少しも修正を加えることなく、新しいＡＧＰＳ対応のＳＩＭカードを挿入するだけで、既存のデバイスに高精度のＧＰＳ機能性を付加する。
本発明の方法及び構成の利点は、ユーザ装置の位置をより正確に特定することができる点である。
本発明及びその実施形態の他の利点は、より効率的な構成要素、従って、ユーザ装置のより効率的な位置特定方法をもたらす低い電流及び電力消費、低い処理要求、高い構成要素密度を有するモジュールを含む。
【００３４】
本発明及びその実施形態の他の利点は、本発明が最小量の付加的構成要素を使用しており、通信、電源、ユーザインタフェースではモバイルデバイスに依存するので、費用効率が極めて高く、既存及び将来的な世代のユーザ装置に正確なロケーションサービスを提供する点である。
技術の進歩に伴い、発明の概念が様々な方法で実施される可能性があることは、当業者には明らかであろう。本発明及びその実施形態は、上述の例に限定されることなく、特許請求の範囲内で変わる可能性がある。
【図面の簡単な説明】
【００３５】
【図１】本発明及びその実施形態によるＡＧＰＳ対応のＳＩＭカードを有するユーザ装置を示す図である。
【図２】本発明及びその実施形態による埋め込みのＡＧＰＳ受信機及びアンテナを有するＳＩＭモジュールを示す図である。
【図３】本発明及びその実施形態によるユーザ開始のロケーション要求の信号伝達図表である。
【図４】本発明及びその実施形態による遠隔デバイス開始のロケーション要求の信号伝達図表である。
【図５】本発明及びその実施形態による遠隔デバイス開始のロケーション要求の信号伝達図表である。
【図６】本発明及びその実施形態に従い、ＡＧＰＳサブシステムを用いてＡＧＰＳ−ＳＩＭカードで全体が処理される測位要求を示す図である。
【符号の説明】
【００３６】
１−２  ユーザ装置
１−４  加入者識別モジュール
１−６  ＧＰＳ受信機
１−８  アンテナ
【図１】
2008535426.tif 000003
【図２】
2008535426.tif 000004
【図３】
2008535426.tif 000005
【図４】
2008535426.tif 000006
【図５】
2008535426.tif 000007
【図６】
2008535426.tif 000008
【国際調査報告】
2008535426.tif 000009
2008535426.tif 000010
2008535426.tif 000011